(57)【特許請求の範囲】
【請求項１】
電源供給回路であって、
入力された交流電流を整流して、電圧値が周期的に変化する第１の電圧を出力するための１次整流ユニットと、
前記第１の電圧を変調して第２の電圧を生成するための変調ユニットと、
前記第２の電圧に基づいて第３の電圧を生成するための変圧器と、
前記第３の電圧を整流及びフィルタリングして第４の電圧と前記第４の電圧に対応する第１の電流を生成するための２次整流フィルタリングユニットと、
前記第１の電流を調整して前記電源供給回路の出力電流を生成するための制御ユニットと、を含み、
前記出力電流は、電流値が周期的に変化する第２の波形を有し、前記第２の波形の各周期は、電流値が０である期間を含む、
ことを特徴とする電源供給回路。
【請求項２】
前記第１の電流は、電流値が周期的に変化する第１の波形を有し、
前記電源供給回路は、前記電源供給回路の充電ラインのオン・オフを制御するための第１のスイッチングユニットをさらに含み、
前記制御ユニットは、前記第１の波形の各周期における一部の期間で前記第１のスイッチングユニットをオープン状態にあるように制御する、
ことを特徴とする請求項１に記載の電源供給回路。
【請求項３】
前記第１の電流は、電流値が周期的に変化する第１の波形を有し、
前記電源供給回路は、前記電源供給回路の充電回路の間に並列接続される負荷回路と、前記負荷回路のオン・オフを制御するための第２のスイッチングユニットと、をさらに含み、
前記制御ユニットは、前記第１の波形の各周期における一部の期間で前記第２のスイッチングユニットをクローズ状態にあるように制御し、
前記負荷回路は、前記第２のスイッチングユニットがクローズ状態にある場合、前記充電回路で伝送される電気エネルギーを消費する、
ことを特徴とする請求項１に記載の電源供給回路。
【請求項４】
前記一部の期間は、前記第１の波形の谷が位置する期間である、
ことを特徴とする請求項２または３に記載の電源供給回路。
【請求項５】
前記２次整流フィルタリングユニットは、前記２次整流フィルタリングユニットにおけるフィルタリング回路のオン・オフを制御するための第３のスイッチングユニットを含み、
前記制御ユニットは、前記第１の波形の各周期における目標期間で前記第３のスイッチングユニットをオープン状態にあるように制御し、
前記目標期間は、前記第１の波形の谷が位置する期間である、
ことを特徴とする請求項２〜４のいずれかに記載の電源供給回路。
【請求項６】
前記フィルタリング回路は、フィルタリングコンデンサを含み、
第３のスイッチングユニットは、ＭＯＳ（金属酸化物半導体）トランジスタを含み、
前記フィルタリングコンデンサは、正極が前記電源供給回路の充電ラインに接続され、負極が前記ＭＯＳトランジスタのソースに接続され、
前記ＭＯＳトランジスタは、ドレインが接地され、ゲートが前記制御ユニットに接続される、
ことを特徴とする請求項５に記載の電源供給回路。
【請求項７】
前記制御ユニットは、さらに、充電対象機器と通信して、前記電源供給回路の出力電力を調整して、前記電源供給回路の出力電圧及び/又は出力電流を前記充電対象機器におけるバッテリが現在位置する充電段階にマッチングさせる、
ことを特徴とする請求項１〜６のいずれかに記載の電源供給回路。
【請求項８】
前記電源供給回路が前記バッテリを充電する段階は、トリクル充電段階と、定電圧充電段階と、定電流充電段階とのうちの少なくとも１つを含む、
ことを特徴とする請求項７に記載の電源供給回路。
【請求項９】
前記制御ユニットは、
前記バッテリの定電圧充電段階において、前記充電対象機器と通信して、前記電源供給回路の出力電力を調整して、前記電源供給回路の出力電圧を前記定電圧充電段階に対応する充電電圧にマッチングさせるように構成される、
ことを特徴とする請求項８に記載の電源供給回路。
【請求項１０】
前記制御ユニットは、
前記バッテリの定電流充電段階において、前記充電対象機器と通信して、前記電源供給回路の出力電力を調整して、前記電源供給回路の出力電流を前記定電流充電段階に対応する充電電流にマッチングさせるように構成される、
ことを特徴とする請求項８または９に記載の電源供給回路。
【請求項１１】
請求項１〜１０のいずれかに記載の電源供給回路を含む、
ことを特徴とする電源供給機器。
【請求項１２】
前記電源供給機器は、アダプタである、
ことを特徴とする請求項１１に記載の電源供給機器。
【請求項１３】
電源供給回路の制御方法であって、
入力された交流電流を整流して、電圧値が周期的に変化する第１の電圧を出力するステップと、
前記第１の電圧を変調して第２の電圧を生成するステップと、
前記第２の電圧に基づいて第３の電圧を生成するステップと、
前記第３の電圧を整流及びフィルタリングして第１の電流を生成するステップと、
前記電源供給回路における制御ユニットが前記第１の電流を調整して前記電源供給回路の出力電流を生成するステップと、を含み、
前記出力電流は、電流値が周期的に変化する第２の波形を有し、前記第２の波形の各周期は、電流値が０である期間を含む、
ことを特徴とする電源供給回路の制御方法。
【請求項１４】
前記制御方法は、
充電対象機器と通信して、前記電源供給回路の出力電力を調整して、前記電源供給回路の出力電圧及び/又は出力電流を前記充電対象機器におけるバッテリが現在位置する充電段階にマッチングさせるステップをさらに含む、
ことを特徴とする請求項１３に記載の電源供給回路の制御方法。
【請求項１５】
前記電源供給回路が前記バッテリを充電する段階は、トリクル充電段階と、定電圧充電段階と、定電流充電段階とのうちの少なくとも１つを含む、
ことを特徴とする請求項１４に記載の電源供給回路の制御方法。
【発明の詳細な説明】
【技術分野】
【０００１】
本発明は、充電の分野に関し、特に、電源供給回路、電源供給機器及び制御方法に関する。
【背景技術】
【０００２】
電源供給回路は、通常、１次変換ユニットと２次変換ユニットとを含む。１次変換ユニットは、一般に、１次整流ユニットと１次フィルタリングユニットとを含む。１次フィルタリングユニットは、通常、１つまたは複数の大容量液体電解キャパシタ（例えば、液体アルミニウム製電解キャパシタ）を使用して、１次整流された電圧を１次フィルタリングする必要がある。
【０００３】
液体電解キャパシタは、寿命が短く破裂しやすいなどの欠陥を有するため、従来の電源供給回路は、寿命が短く安全でない。
【発明の概要】
【発明が解決しようとする課題】
【０００４】
本発明は、電源供給回路の使用寿命及び安全性を向上させることができる電源供給回路、電源供給機器及び制御方法を提供する。
【課題を解決するための手段】
【０００５】
第１の態様は、電源供給回路を提供し、前記電源供給回路は、入力された交流電流を整流して、電圧値が周期的に変化する第１の電圧を出力するための１次整流ユニットと、前記第１の電圧を変調して第２の電圧を生成するための変調ユニットと、前記第２の電圧に基づいて第３の電圧を生成するための変圧器と、前記第３の電圧を整流及びフィルタリングして第１の電流を生成するための２次整流フィルタリングユニットと、前記第１の電流を調整して前記電源供給回路の出力電流を生成するための制御ユニットと、を含み、前記出力電流は、電流値が周期的に変化する第２の波形を有し、前記第２の波形の各周期は、電流値が０である期間を含む。
【０００６】
第２の態様は、第１の態様に記載の電源供給回路を含む電源供給機器を提供する。
【０００７】
第３の態様は、電源供給回路の制御方法を提供し、前記電源供給回路は、入力された交流電流を整流して、電圧値が周期的に変化する第１の電圧を出力するための１次整流ユニットと、前記第１の電圧を変調して第２の電圧を生成するための変調ユニットと、前記第２の電圧に基づいて第３の電圧を生成するための変圧器と、前記第３の電圧を整流及びフィルタリングして第１の電流を生成するための２次整流フィルタリングユニットと、を含み、前記制御方法は、前記電源供給回路内の制御ユニットが前記第１の電流を調整して前記電源供給回路の出力電流を生成するステップを含み、前記出力電流は、電流値が周期的に変化する第２の波形を有し、前記第２の波形の各周期は、電流値が０である期間を含む。
【発明の効果】
【０００８】
本発明によって提供される電源供給回路は、１次側の液体電解キャパシタを除去しており、電源供給回路の体積を小さくし、電源供給回路の使用寿命及び安全性を向上させる。
【図面の簡単な説明】
【０００９】
【図１】本発明の一実施例により提供される電源供給回路の概略構成図である。
【図２】本発明の実施例により提供される変調待機の第１の電圧の波形の一例を示す図である。
【図３】従来の電源供給回路の変調前後の電圧波形の比較図である。
【図４】本発明の実施例により提供される第１の電圧を変調して取得した第２の電圧の波形の一例を示す図である。
【図５】本発明の実施例により提供される２次整流フィルタリングされた第１の波形の一例を示す図である。
【図６】本発明の他の実施例により提供される電源供給回路の概略構成図である。
【図７】本発明の実施例により提供される出力電流の波形及び当該波形を生成するための制御信号の波形の一例を示す図である。
【図８】本発明のさらに他の実施例により提供される電源供給回路の概略構成図である。
【図９】本発明のさらに他の実施例により提供される電源供給回路の概略構成図である。
【図１０】本発明の実施例により提供される急速充電プロセスの概略フローチャートである。
【図１１】本発明の実施例により提供される電源供給機器の概略構成図である。
【図１２】本発明の実施例により提供される制御方法の概略フローチャートである。
【発明を実施するための形態】
【００１０】
従来技術において、電源回路の１次側には、１次整流ユニットが設けられているほか、１次フィルタリングユニットも設けられている。１次フィルタリングユニットは、一般的に１つまたは複数の液体電解キャパシタを含む。液体電解キャパシタは、静電容量が大きく、フィルタリング能力が強いという特徴を有する。当該液体電解キャパシタの存在によって、電源供給回路の出力を定直流電力にすることができる。しかしながら、液体電解キャパシタは、寿命が短く、破裂しやすいなどの特性を有するため、電源供給回路の使用寿命が短く、安全でない。また、定直流電力で充電対象機器内のバッテリを充電することは、バッテリの分極及びリチウム析出現象を引き起こし、当該バッテリの寿命を短縮する可能性がある。
【００１１】
電源供給回路の使用寿命及び安全性を向上させ、充電中のバッテリの分極及びリチウム析出現象を低減するために、本発明の実施例は、１次側の液体電解キャパシタを除去した電源供給回路を提供する。当該電源供給回路は、充電対象機器内のバッテリの充電に使用することができる。本発明に係る充電対象機器は、「通信端末」(または「端末」と略する)のような携帯端末であってもよく、有線回路(例えば、公衆交換電話網(ｐｕｂｌｉｃ ｓｗｉｔｃｈｅｄ ｔｅｌｅｐｈｏｎｅ ｎｅｔｗｏｒｋ、 ＰＳＴＮ)、デジタル加入者線(ｄｉｇｉｔａｌｓｕｂｓｃｒｉｂｅｒ ｌｉｎｅ、 ＤＳＬ)、デジタルケーブル、直接ケーブル接続、及び/又は他のデータ接続／ネットワークを介し)を介して接続するか、及び/又は(例えば、セルラーネットワーク、無線ローカルエリアネットワーク(ｗｉｒｅｌｅｓｓ ｌｏｃａｌ ａｒｅａ ｎｅｔｗｏｒｋ、 ＷＬＡＮ)、ハンドヘルドデジタルビデオ放送(ｄｉｇｉｔａｌ ｖｉｄｅｏ ｂｒｏａｄｃａｓｔｉｎｇ ｈａｎｄｈｅｌｄ、ＤＶＢ−Ｈ)ネットワークのデジタルＴＶネットワーク、衛星ネットワーク、振幅変調−周波数変調（ａｍｐｌｉｔｕｄｅ  ｍｏｄｕｌａｔｉｏｎ−ｆｒｅｑｕｅｎｃｙ  ｍｏｄｕｌａｔｉｏｎ、ＡＭ−ＦＭ）ブロードキャストトランスミッタ、及び/又は他の通信端末の)無線インターフェースを介して通信信号を受信／送信するように構成される装置を含むが、これらに限定されない。無線インターフェースを介して通信するように構成される通信端末は、「無線通信端末」、「無線端末」及び/又は「移動端末」と呼ばれてもよい。例として、移動端末は、衛星またはセルラー電話と、セルラー無線電話及びデータ処理、ファックス及びデータ通信能力を組み合わせ得るパーソナルコミュニケーションシステム(ｐｅｒｓｏｎａｌ ｃｏｍｍｕｎｉｃａｔｉｏｎ ｓｙｓｔｅｍ、ＰＣＳ)端末と、無線電話、ポケットベル、インターネット／イントラネットアクセス、Ｗｅｂブラウザ、メモ、カレンダー及び/又は全地球測位システム(ｇｌｏｂａl ｐｏｓｉｔｉｏｎｉｎｇ ｓｙｓｔｅｍ、ＧＰＳ) レシーバーを含むパーソナルデジタルアシスタント (Ｐｅｒｓｏｎａｌ Ｄｉｇｉｔａｌ Ａｓｓｉｓｔａｎｔ、ＰＤＡ)と、通常のラップトップレシーバー及び/又はハンドヘルドレシーバまたは無線電話レシーバを含む他の電子装置を含むが、これらに限定されない。
【００１２】
図１に示すように、本発明の一実施例により提供される電源供給回路１０は、１次整流ユニット１１と、変調ユニット１２と、変圧器１３と、２次整流フィルタリングユニット１４とを含むことができる。電源供給回路１０の各構成要素について、以下にそれぞれ詳しく説明する。
【００１３】
１次整流ユニット１１は、入力された交流電流を整流して、電流値が周期的に変化する第１の電圧を出力する。一部の場合、入力された交流電流（ＡＣ）は、商用電源と呼ばれてもよい。入力された交流電流は、例えば、２２０Ｖの交流電流であってもよく、１１０Ｖの交流電流であってもよく、本発明の実施例は、これについて具体的に限定しない。
【００１４】
第１の電圧の電圧波形は、周期的に変化する波形である。図２に示すように、当該第１の電圧的波形は、脈動波形であってもよく、または、饅頭形波と呼ばれてもよい。
【００１５】
本発明の実施例は、１次整流ユニット１１の形態について具体的に限定しない。１次整流ユニット１１は、４つのダイオードによって構成されるフルブリッジ整流回路を採用してもよく、ハーフブリッジ整流回路のような他の形態の整流回路を採用してもよい。
【００１６】
変調ユニット１２は、第１の電圧を変調して第２の電圧を生成することができる。ある場合、変調ユニット１２は、チョッパーユニットまたはチョッパーと呼ばれてもよい。または、いくつかの場合、変調ユニット１２は、クリッパーユニットまたはクリッパーと呼ばれてもよい。本発明の実施例は、変調ユニット１２の作動方式について具体的に限定しない。一例として、変調ユニット１２は、パルス振幅変調（ｐｕｌｓｅ ｗｉｄｔｈ ｍｏｄｕｌａｔｉｏｎ、ＰＷＭ）の方式で第１の電圧を変調してもよく、周波数変調の方式で第１の電圧を変調してもよい。
【００１７】
なお、従来技術において、１次整流ユニット１１によって出力された電圧（本発明の実施例の第１の電圧に対応）は、まず１次フィルタリングユニット（１つまたは複数の液体電解キャパシタを含む）によってフィルタリングされて定直流電力を形成する必要がある。当該定直流電力の電圧波形は、通常直線であり、即ち、図３に示すような変調前の電圧波形である。次に、変調ユニットは、当該定電圧を変調（チョッパー）して、図３に示すような変調された電圧を形成し、図３から分かるように、変調ユニットの処理を経て、一定の電圧信号は、振幅値が等しい多数の小方波パルス信号に変調される。
【００１８】
これに対し、本発明の実施例により提供される電源供給回路は、１次フィルタリングに使用される液体電解キャパシタを除去しており、１次整流された、電圧値が周期的に変化する第１の電圧を変調する。第１の電圧的波形が図２に示すような波形であることを例とし、変調によって取得された第２の電圧の波形は、図４を参照することができる。図４から分かるように、第２の電圧は、同様に多数の小パルス信号を含むが、これらのパルス信号の振幅値が等しくなく、周期的に変化する。図４中の破線は、第２の電圧を構成するパルス信号の包絡線である。図２を比較して分かるように、第２の電圧を構成するパルス信号の包絡線は、第１の電圧の波形とほぼ同じである。
【００１９】
変圧器１３は、第２の電圧に基づいて第３の電圧を生成することができる。言い換えると、変圧器１３は、第２の電圧を変圧器の１次巻線から２次巻線にカップリングして第３の電圧を取得することができる。例えば、変圧器１３は、第２の電圧に対して変圧に関する操作して第３の電圧を取得することができる。変圧器１３は、通常の変圧器であってもよく、作動周波数が５０ＫＨz〜２ＭＨzである高周波数変圧器であってもよい。変圧器１３は、１次巻線と２次巻線とを含む。変圧器１３内の１次巻線及び２次巻線の形態、１次巻線及び２次巻線と電源供給回路１０における他のユニットとの接続方式は、電源供給回路１０に採用されるスイッチング電源のタイプに関係する。例えば、電源供給回路１０は、フライバック式スイッチング電源に基づく電源供給回路であってもよく、フォワード式スイッチング電源に基づく電源供給回路であってもよく、プッシュプル式スイッチング電源に基づく電源供給回路であってもよい。電源供給回路の基づくスイッチング電源のタイプが異なると、変圧器１３の１次巻線、２次巻線の具体的な形態や接続方式も異なり、本発明の実施例は、これについて具体的に限定しない。図１に示すのは、変圧器１３の可能な一接続方式に過ぎない。
【００２０】
２次整流フィルタリングユニット１４は、２次整流ユニットと２次フィルタリングユニットとを含むことができる。本発明の実施例は、２次整流ユニットの整流方式について具体的に限定しない。一例として、２次整流ユニットは、同期整流器（ｓｙｎｃｈｒｏｎｏｕｓ ｒｅｃｔｉfｉｅｒ、ＳＲ）チップを使用して、変圧器の２次巻線によって誘起された電圧（または電流）を同期整流することができる。他の一例として、２次整流ユニットは、ダイオードを使用して２次整流する。２次フィルタリングユニットは、２次整流された電圧を２次フィルタリングすることができる。２次フィルタリングユニットは、１つまたは複数の固体キャパシタを含むことができ、または固体キャパシタと通常のキャパシタ（例えば、セラミックスキャパシタ）との組み合わせを含むことができる。
【００２１】
２次整流フィルタリングユニット１４の処理によって第１の電流を取得することができ、以下に第１の電流の波形を第１の波形という。図５中の実線は、第１の波形の一例である。図５から分かるように、第１の波形は、電流値が一定の波形ではなく、電流値が周期的に変化する波形であり、原因は、以下に説明する。
【００２２】
電源供給回路１０の１次側は、液体電解キャパシタが除去されているため、変圧器１３に入力された第２の電圧は、振幅値が周期的に変化する多数の小パルス信号からなる。同様に、変圧器１３から２次側に伝送された第３の電圧も振幅値が周期的に変化する多数の小パルス信号からなる。２次整流フィルタリングユニット１４に２次フィルタリングコンデンサが設けられているが、液体電解キャパシタと比較して、２次フィルタリングコンデンサとして通常に容量値が比較的低い固体キャパシタを選択する。固体キャパシタは、一般に容量値が低く、フィルタリング能力が相対的に弱い。従って、２次フィルタリングコンデンサの主な機能は、２次整流後に出力された多数の小パルス信号を、周期的に変化する連続的な信号にフィルタリングすることであり、当該連続的な信号の波形は、一般に、これらの小パルス信号の包絡線に類似する波形である。
【００２３】
さらに、図５から分かるように、第１の波形は、完全な脈動波形ではなく、第１の波形の山及び谷は、脈動波形（図５中の破線）の山及び谷に達していない。第１の波形の山が脈動波形の山に達していない主な原因は、電源供給回路１０が一般に自身の出力電圧及び/又は出力電流をモニタリングし、出力電圧の制限及び/又は出力電流の制限操作を行うことにある。当該電圧制限及び/又は電流制限操作は、脈動波形の山を所定の振幅値以下に制限し、これにより、図５に示すようなピークカット処理された第１の波形が形成される。
【００２４】
第１の波形の谷が脈動波形の谷に達していない主な原因は、２次整流フィルタリングユニット１４における２次フィルタリングコンデンサが２次側の充電ラインの電圧をクランプする作用を発揮することで、２次側の充電ラインの電圧及び電流は、いずれも零点に達することができないことにある。具体的には、２次側の充電ラインの電圧が２次フィルタリングコンデンサの電圧値と等しくなるまで低下すると、２次フィルタリングコンデンサは、放電状態になり、充電ラインの電圧は、続いて低下することなく、第１の波形の谷は、０より大きいある数値に「クランプ」され、当該数値の具体的な大きさは、２次フィルタリングコンデンサの容量値に関係し、本発明の実施例は、これについて具体的に限定しない。
【００２５】
上記の記載から分かるように、本発明の実施例により提供される電源供給回路１０は、１次側の液体電解キャパシタが除去されており、これにより、電源供給回路の体積が小さくなり、電源供給回路の使用寿命及び安全性が向上する。
【００２６】
電源供給回路１０は、充電対象機器内のバッテリを充電するためのものである。充電中に周期的に充放電をするようにバッテリを制御することができるなら、バッテリの分極及びリチウム析出現象を大幅に低減することができ、バッテリの使用寿命及び安全性が向上する。しかしながら、前述した２次フィルタリングに関する説明から分かるように、２次整流フィルタリングユニット１４における２次フィルタリングコンデンサが電源供給回路１０の充電ラインの電圧をクランプする作用を発揮することで、２次フィルタリングによって取得された第１の電流の波形（即ち、第１の波形）の谷が零点に達することができない。第１の電流をそのまま電源供給回路１０の出力電流とするなら、第１の電流が零点に達することができず、充電対象機器内のバッテリが常に充電状態にある可能性があり、当該バッテリが周期的に放電することを確保することができない。
【００２７】
さらに、バッテリが周期的に充放電できることを確保するために、一部の実施例において、電源供給回路１０は、制御ユニット１５をさらに含むことができる。制御ユニット１５は、第１の電流を調整して電源供給回路１０の出力電流を生成することができる。電源供給回路１０の出力電流は、電流値が周期的に変化する第２の波形を有することができ、第２の波形の各周期は、電流値が０である期間を含む。
【００２８】
第２の波形の各周期は、電流値が０である期間と、電流値が０でない期間と、を含む。ここで、電流値が０である期間を第１の期間といい、電流値が０でない期間を第２の期間という。第２の波形は、出力電流の波形であり、第１の期間における出力電流の電流値が０であることは、第１の期間における電源供給回路１０の出力がないことを示す。この場合、充電対象機器内のバッテリが一般に充電対象機器内のシステムに持続的に電力供給する必要があるため、当該バッテリは、放電状態にある。第２の期間における出力電流の電流値が０でないことは、第２の期間における電源供給回路１０の出力が回復したことを示す。この場合、充電対象機器内のバッテリは、充電状態にある。これにより分かるように、第２の波形の各周期は、電流値が０である第１の期間と、電流値が０でない第２の期間と、を有するため、充電対象機器内のバッテリは、周期的な充放電状態に入ることができ、バッテリの分極及びリチウム析出現象が大幅に少なくなり、バッテリの使用寿命及び安全性が向上する。
【００２９】
制御ユニット１５は、例えば、マイクロコントロールユニット（ｍｉｃｒｏ-ｃｏｎｔｒｏｌ ｕｎｉｔ、ＭＣＵ）であってもよい。当該制御ユニット１５は、電源供給回路１０における他のユニットに制御信号を送信する方式で電源供給回路１０における他のユニットを制御することができる。制御ユニット１５が第１の電流を調整する方式は、複数であってもよく、対応的に、制御ユニット１５と電源供給回路１０における他のユニットとの接続方式は、複数であってもよく、本発明の実施例は、これについて具体的に限定しない。以下に図６〜図９を参照して例を挙げて説明する。
【００３０】
図６は、制御ユニット１５が第１の電流を調整して零点を通過する出力電流を形成する一実施例である。図６に示すように、電源供給回路１０は、電源供給回路１０の充電ライン６１のオン・オフを制御するための第１のスイッチングユニット６２をさらに含むことができる。充電ライン６１は、電気エネルギーを伝送することができる。言い換えると、当該充電ライン６１は、充電対象機器に充電電圧及び/又は充電電流を転送することができる。電源供給回路１０がユニバーサルシリアルバス（ｕｎｉｖｅｒｓａl ｓｅｒｉａl ｂｕｓ、ＵＳＢ）を介して充電対象機器を充電することを例とし、当該充電ライン６１は、例えば、ＵＳＢ内のＶＢＵＳであってもよい。
【００３１】
第１のスイッチングユニット６２は、回路のオン・オフを制御する機能を有する任意の装置であってもよい。図６に示すように、第１のスイッチングユニット６２は、金属酸化物半導体（ｍｅｔａl ｏxｉｄｅ ｓｅｍｉｃｏｎｄｕｃｔｏｒ、ＭＯＳ）トランジスタであってもよく、当該ＭＯＳトランジスタのゲートは、制御ユニット１５に接続されて、制御ユニット１５からの制御信号を受信することができる。当該ＭＯＳトランジスタのソース及びドレインは、充電ライン６１の中に直列接続することができ、制御信号の制御で充電ライン６１の導通または切断を制御することができる。
【００３２】
さらに、制御ユニット１５は、第１の波形の各周期における一部の期間でオープン状態にあるように第１のスイッチングユニット６２を制御して、電源供給回路１０の出力をオフにすることができる。
【００３３】
本発明の実施例は、上記の一部の期間の選定方式について具体的に限定せず、第１の波形の各周期のいずれか１つまたは複数の期間であってもよい。
【００３４】
選択可能に、一例として、当該一部の期間は、第１の波形の谷が位置する期間であってもよい。言い換えると、制御ユニット１５は、第１の波形の谷が位置する一部または全部の期間でオープン状態にあるように第１のスイッチングユニット６２を制御して、電源供給回路１０の出力をオフにすることができる。第１の波形の各周期における谷が位置する期間以外の期間でオープン状態にあるように第１のスイッチングユニット６２を制御する方式と比較して、第１の波形の各周期における谷が位置する期間でオープン状態にあるように第１のスイッチングユニット６２を制御する方式は、バッテリが周期的に充放電状態にあることを満たす前提でバッテリの充電效率を最大限確保する効果を奏することができる。
【００３５】
制御ユニット１５は、第１の波形の谷が位置する一部または全部の期間で第１のスイッチングユニット６２をオープン状態にあるように制御すると仮定すると、制御ユニット１５は、第１の波形の谷が位置する期間を決定する方式は、複数を有することができる。一例として、制御ユニット１５は、第１の電流をサンプリングし、第１の電流のサンプリング値に基づいて第１の波形の谷が位置する期間を判断する。他の一例とし、第１の電流の周期は、１次整流ユニットによって出力された電圧信号または電流信号と、２次整流ユニットによって出力された電圧信号または電流信号となどの電源供給回路１０における多数の他の信号の周期とは、同期の関係を有し、以下にこれらの信号を第１の電流の同期信号という。制御ユニット１５は、同期信号の波形、及び同期信号の波形と第１の波形との同期関係に基づいて第１の波形の谷が位置する期間を判断することができる。
【００３６】
第１の波形が図５中の実線に示すような波形であることを例とし、制御ユニット１５は、第１のスイッチングユニット６２に図７に示すような制御信号を送信し、第１の波形の谷が位置する期間で出力を停止するように電源供給回路１０を制御することができ、図７に示すような電流値が０である期間を含む第２の波形を形成することができる。
【００３７】
図８は、制御ユニット１５が第１の電流を調整して、零点を通過する出力電流を形成する他の実施例である。図８に示すように、電源供給回路１０は、電源供給回路１０の充電回路の間に並列接続される負荷回路８１と、負荷回路８１のオン・オフを制御するための第２のスイッチングユニット８２と、をさらに含むことができる。
【００３８】
当該充電回路は、充電ラインとアース線とによって形成された回路であってもよい。電源供給回路１０がＵＳＢを介して充電対象機器を充電することを例とし、当該充電回路は、ＶＢＵＳとＧＮＤとからなる回路であってもよい。
【００３９】
電源供給回路１０の出力電流が０に達することができる目的を果たすために、本発明の実施例は、電源供給回路１０の内部に負荷回路８１を導入する。負荷回路８１における負荷の配置により、第２のスイッチングユニット８２がクローズ状態にある場合、充電回路で伝送された電機エネルギーの全ては、負荷回路８１における負荷によって消費することができる。
【００４０】
本発明の実施例は、負荷回路８１における負荷の形態について具体的に限定しない。当該負荷は、例えば抵抗器であってもよく、電気エネルギーを消費することができる他の装置であってもよい。また、第２のスイッチングユニット８２がクローズされる場合、充電回路の電気エネルギーの全てが負荷回路８１によって消費することができることを確保することができれば、負荷の大きさは、実際の状況に応じて決定してもよい。
【００４１】
制御ユニット１５は、第１の波形の各周期における一部の期間でクローズ状態にあるように第２のスイッチングユニット８２を制御することができる。第２のスイッチングユニット８２がクローズ状態にある場合、負荷回路８１は、作動状態にあり、充電回路の電気エネルギーは、負荷回路８１によって消費することができ、電源供給回路１０の外部に出力することはない。従って、負荷回路８１が作動状態にある場合、電源供給回路１０の出力電流が０となる。
【００４２】
本発明の実施例に記載の一部の期間（即ち、負荷回路８１が作動状態にある期間）の選定方式は、図６の実施例と類似しており、前述した図６実施例の関連説明を参照することができ、重複しないようにここでは詳しく説明しない。
【００４３】
図９は、制御ユニット１５が第１の電流を調整して零点を通過する出力電流を生成するさらに他の実施例である。図９に示すように、２次整流フィルタリングユニット１４は、フィルタリング回路１４１（なお、２次整流フィルタリングユニットは、２次整流に関連する装置をさらに含んでもよく、簡潔のため、図９は、２次整流フィルタリングユニット１４における本実施例に係る装置のみを含むことができる。フィルタリング回路１４１は、並列接続される１つまたは複数のキャパシタ１４３（例えば、固体キャパシタ）によって構成されてもよい。フィルタリング回路１４１は、フィルタリング回路１４１のオン・オフを制御するための第３のスイッチングユニット１４２をさらに含むことができる。第３のスイッチングユニット１４２が導通状態にある場合、フィルタリング回路１４１は、作動状態にあり、電源供給回路１０の充電ラインの電圧をクランプする作用を発揮するため、電源供給回路１０の出力電流は、０に達することができない。電源供給回路の出力電流を零点に達させるために、本発明の実施例における制御ユニット１５は、第１の波形の各周期における目標期間でオープン状態にあるように第３のスイッチングユニット１４２を制御し、ここで、目標期間は、第１の波形の谷が位置する期間である。目標期間が第１の波形の谷が位置する期間であるため、フィルタリング回路１４１におけるキャパシタは、本来ならば当該目標期間で放電状態にあるはずだが、制御ユニット１５は、目標期間で第３のスイッチングユニット１４２により、作動しないようにフィルタリング回路１４１を制御するため、フィルタリング回路１４１におけるキャパシタは、外部に放電することができず、電源供給回路１０は出力しない。このようにすることで、目標期間で電源供給回路１０の出力電流は０となる。
【００４４】
さらに、図９に対応する実施例において、第３のスイッチングユニット１４２は、ＭＯＳトランジスタを含むことができる。フィルタリングコンデンサ１４３の正極は、電源供給回路１０の充電ライン（例えば、ＶＢＵＳ）に接続されてもよく、フィルタリングコンデンサ１４３の負極は、ＭＯＳトランジスタのソースに接続されてもよく、ＭＯＳトランジスタは、ドレインが接地（例えば、ＧＮＤ）され、ゲートが制御ユニット１５に接続されてもよい。ＭＯＳトランジスタのソースは、フィルタリングコンデンサ１４３の負極に接続することにより、ＭＯＳトランジスタの内部のボディダイオードの陰極は接地され、これにより、ＭＯＳトランジスタがオンになるとき、フィルタリングコンデンサ１４３が当該ボディダイオードに放電することはない。
【００４５】
従来技術において、充電対象機器を充電するための電源供給回路が記載されている。当該電源供給回路は、定電圧モードで作動する。定電圧モードで、当該電源供給回路の出力電圧は、ほぼ一定に維持され、例えば、５Ｖ、９Ｖ、１２Ｖまたは２０Ｖなどに維持される。
【００４６】
当該電源供給回路の出力電圧は、バッテリの両端に直接印加するのに適さず、まず充電対象機器における変換回路によって変換されて充電対象機器内のバッテリの予期充電電圧及び/又は充電電流を得る必要がある。
【００４７】
変換回路は、電源供給回路の出力電圧を変換して、バッテリの予期充電電圧及び/又は充電電流の需要を満たすことができる。
【００４８】
一例とし、当該変換回路は、充電管理モジュール、例えば、充電集積回路（ｉｎｔｅｇｒａｔｅｄ ｃｉｒｃｕｉｔ、ＩＣ）を指してもよく、バッテリの充電中にバッテリの充電電圧及び/又は充電電流を管理するためのものである。当該変換回路は、バッテリの充電電圧及び/又は充電電流の管理を実現するために、電圧フィードバックモジュールの機能を有し、及び/又は、電流フィードバックモジュールの機能を有することができる。
【００４９】
例を挙げると、バッテリの充電プロセスは、トリクル充電段階と、定電流充電段階と、定電圧充電段階とのうちの１つまたは複数を含むことができる。トリクル充電段階において、変換回路は電流フィードバックループを利用することにより、トリクル充電段階でバッテリに流れ込む電流がバッテリの予期充電電流の大きさ（例えば、第１の充電電流）を満すようにすることができる。定電流充電段階において、変換回路は電流フィードバックループを利用することにより、定電流充電段階でバッテリに流れ込む電流がバッテリの予期充電電流の大きさ（例えば、第１の充電電流より大きくてもよい第２の充電電流）を満たすようにすることができる。定電圧充電段階において、変換回路は、圧フィードバックループを利用することにより、定電圧充電段階でバッテリの両端に印加される電圧の大きさがバッテリの予期充電電圧の大きさを満たすようにすることができる。 
一例として、電源供給回路の出力電圧がバッテリの予期充電電圧より大きい場合、変換回路は、電源供給回路の出力電圧を降圧処理して、降圧変換された充電電圧がバッテリの予期充電電圧の需要を満たすようにすることができる。他の例として、電源供給回路の出力電圧がバッテリの予期充電電圧より小さい場合、変換回路は、電源供給回路の出力電圧を昇圧処理して、昇圧変換された充電電圧をバッテリの予期充電電圧の需要を満たすようにすることができる。
【００５０】
他の例として、例えば、電源供給回路は５Ｖの定電圧を出力する。バッテリが１つのバッテリセル（リチウムバッテリのバッテリセルを例とし、１つのバッテリセルの充電終止電圧が４．２Ｖである）を含む場合、変換回路（例えば、Ｂｕｃｋ降圧回路）は、電源供給回路の出力電圧を降圧処理して、降圧された充電電圧がバッテリの予期充電電圧の需要を満たすようにすることができる。
【００５１】
他の例として、例えば、電源供給回路が５Ｖの定電圧を出力する。電源供給回路が２つ以上のシングルバッテリセルを直列接続したバッテリ（リチウムバッテリのバッテリセルを例とし、１つのバッテリセルの充電終止電圧が４．２Ｖである）を充電する場合、変換回路（例えば、Ｂｏｏｓｔ昇圧回路）は、電源供給回路の出力電圧を昇圧処理して、昇圧された充電電圧がバッテリの予期充電電圧の需要を満たすようにすることができる。
【００５２】
変換回路が回路の変換効率の低下に制限されることによって、変換されていない部分の電気エネルギーが熱の形で放散される。この部分の熱は充電対象機器の内部に集まる。充電対象機器の設定スペース及び放熱スペースが小さいことから（例えば、ユーザが使用する移動端末の物理的なサイズがますます薄くなるとともに、移動端末の性能を向上させるために、移動端末内に数多くの電子素子が密に配置されている）、変換回路の設計難度を上げるだけでなく、充電対象機器内に集まっている熱を速やかに除去しにくく、充電対象機器の異常を引き起こす。
【００５３】
例えば、変換回路に集まっている熱は、変換回路の付近の電子素子に対して熱干渉を引き起こし、電子素子の作動異常の誘因となるおそれがある。また、例えば、変換回路に集まっている熱は、変換回路及び付近の電子素子の使用寿命を短縮するおそれがある。また、例えば、変換回路に集まっている熱は、バッテリに対して熱干渉を引き起こし、バッテリの充放電異常の誘因となるおそれがある。また、例えば、変換回路に集まっている熱は、充電対象機器の温度上昇を引き起こすおそれがあり、ユーザの充電時の使用体験に影響を及ぼす。また、例えば、変換回路に集まっている熱は、変換回路自身の短絡を引き起こすおそれがあり、電源供給回路の出力電圧をバッテリの両端に直接印加することにより、充電異常を引き起こし、バッテリが長時間に過電圧充電状態であると、バッテリの爆発まで引き起こし、ユーザの安全に危害を与えることになる。
【００５４】
本発明の実施例は、電源供給回路１０をさらに提供する。当該電源供給回路１０における制御ユニット１５は、充電対象機器と通信して、電源供給回路１０の出力電力を調整して電源供給回路１０の出力電圧及び/又は出力電流を充電対象機器内のバッテリが現在位置する充電段階にマッチングさせることもできる。
【００５５】
なお、バッテリが現在位置する充電段階は、トリクル充電段階と、定電圧充電段階と、定電流充電段階とのうちの少なくとも１つを含むことができる。
【００５６】
バッテリが現在位置する充電段階が定電圧充電段階であることを例とし、前述した充電対象機器と通信して、電源供給回路の出力電力を調整して電源供給回路の出力電圧及び/又は出力電流を充電対象機器内のバッテリが現在位置する充電段階にマッチングさせることは、バッテリの定電圧充電段階では、充電対象機器と通信して、電源供給回路の出力電力を調整して電源供給回路の出力電圧を定電圧充電段階に対応する充電電圧にマッチングさせることを含むことができる。
【００５７】
バッテリが現在位置する充電段階が定電流充電段階であることを例とし、前述した充電対象機器と通信して、電源供給回路の出力電力を調整して電源供給回路の出力電圧及び/又は出力電流を充電対象機器内のバッテリが現在位置する充電段階にマッチングさせることは、バッテリの定電流充電段階では、充電対象機器と通信して、電源供給回路の出力電力を調整して電源供給回路の出力電流を定電流充電段階に対応する充電電流にマッチングさせることを含むことができる。
【００５８】
以下に、本発明の実施例により提供される通信機能を有する電源供給回路１０を例を挙げてさらに詳しく説明する。
【００５９】
当該電源供給回路１０は、バッテリの状態情報を取得することができる。バッテリの状態情報は、バッテリの現在残量情報及び/又は電圧情報を含むことができる。当該電源供給回路１０は、取得されたバッテリの状態情報に基づい電源供給回路１０自身の出力電圧を調整してバッテリの予期充電電圧及び/又は充電電流の需要を満たすことができ、電源供給回路１０が調整して出力した電圧は、バッテリの両端に直接印加してバッテリを充電（以下「直接充電」という）することができる。さらに、バッテリ充電プロセスの定電流充電段階では、電源供給回路１０が調整して出力した電圧は、バッテリの両端に直接印加してバッテリを充電することができる。
【００６０】
当該電源供給回路１０は、バッテリの充電電圧及び/又は充電電流の管理を実現するために、電圧フィードバックモジュールの機能及び電流フィードバックモジュールの機能を有することができる。
【００６１】
当該電源供給回路１０は、取得されたバッテリの状態情報に基づい電源供給回路１０自身の出力電圧を調整することは、当該電源供給回路１０は、バッテリの状態情報をリアルタイムで取得することができ、毎回取得されたバッテリのリアルタイム状態情報に基づいて電源供給回路１０自身の出力電圧を調整してバッテリの予期充電電圧及び/又は充電電流を満たすことを指してもよい。
【００６２】
当該電源供給回路１０は、取得されたバッテリの状態情報に基づい電源供給回路１０自身の出力電圧を調整することは、充電中にバッテリ電圧が絶えずに上昇するにつれて、電源供給回路１０は、充電中に各時刻のバッテリの現在状態情報を取得することができ、バッテリの現在状態情報に基づいて電源供給回路１０自身の出力電圧をリアルタイムで調整してバッテリの予期充電電圧及び/又は充電電流の需要を満たすことを指してもよい。
【００６３】
例を挙げると、バッテリの充電プロセスは、トリクル充電段階と、定電流充電段階と、定電圧充電段階とのうちの少なくとも１つを含むことができる。トリクル充電段階では、電源供給回路１０は、トリクル充電段階で第１の充電電流を出力してバッテリを充電してバッテリの予期充電電流の需要を満たすことができる（第１の充電電流は定直流電流であってもよい）。定電流充電段階では、電源供給回路１０は、電流フィードバックループループを利用することにより、定電流充電段階で電源供給回路１０によって出力され且つバッテリに流れ込む電流がバッテリの予期充電電流の需要を満たすようにすることができる（例えば、第２の充電電流が脈動波形の電流であってもよく、当該第２の充電電流が第１の充電電流より大きくてもよく、定電流充電段階における脈動波形の電流ピーク値がトリクル充電段階おける定直流電流の大きさより大きくてもよく、定電流充電段階の定電流は、脈動波形の電流ピーク値または平均値がほぼ変化しないままであることを指してもよい）。定電圧充電段階では、電源供給回路１０は、電圧フィードバックループを利用することにより、定電圧充電段階で電源供給回路１０から充電対象機器に出力された電圧（即ち、定直流電圧）を一定に保持することができる。
【００６４】
例えば、本発明の実施例に係る電源供給回路１０は、充電対象機器内のバッテリの定電流充電段階を制御することができる。他の実施例において、充電対象機器内のバッテリのトリクル充電段階及び定電圧充電段階の制御機能は、本発明の実施例に記載の電源供給回路１０と充電対象機器内の別途の充電チープとが協力して完成することができる。定電流充電段階と比較して、バッテリがトリクル充電段階及び定電圧充電段階で受け取る充電電力は小さく、充電対象機器内部の充電チップの効率変換損失及び熱蓄積は、許容できる。
【００６５】
なお、本発明の実施例中に記載の定電流充電段階または定電流段階は、電源供給回路１０の出力電流が完全に変化しないことを要求することではなく、電源供給回路１０の出力電流を制御する充電モードを意味することができる。例えば、電源供給回路１０によって出力された脈動波形の電流ピーク値または平均値が、ほぼ変化しないことと、または、あり期間にわたってほぼ変化しないこととを広く意味することができる。例えば、実際に、電源供給回路１０は、定電流充電段階で通常多段階定電流の方式で充電する。
【００６６】
多段階定電流充電（ＭｕＬｔｉ-ｓｔａｇｅ ｃｏｎｓｔａｎｔ ｃｕｒｒｅｎｔ ｃｈａｒｇｉｎｇ）は、Ｎ個の定電流段階（Ｎが２以上の整数である）を有することができる。多段階定電流充電は、所定の充電電流で第１段階の充電を始める。前記多段階定電流充電のＮ個の定電流段階は、第１の段階から第Ｎの段階まで順次に実行される。定電流段階のうちの現在の定電流段階から次の定電流段階に入った後、脈動波形の電流ピーク値または平均値が小さくなることができる。バッテリ電圧が充電終止電圧閾値に達した場合、定電流段階のうちの前の充電段階から次の充電段階に入ることになる。２つの隣接する定電流段階間の電流変換プロセスは、漸進的に変化してよく、または階段式ジャンプ的に変化してもよい。
【００６７】
さらに、電源供給回路１０の出力電流が、電流値が周期的に変化する電流（例えば、脈動直流電流）である場合、定電流モードは、周期的に変化する電流のピーク値または平均値を制御する充電モードを指してもよく、即ち、定電流モードに対応する電流を超えないように電源供給回路１０の出力電流のピーク値を制御する。また、電源供給回路１０の出力電流が交流電流である場合、定電流モードは、交流電流的ピーク値を制限する充電モードを指してもよい。
【００６８】
選択可能に、一部の実施例において、電源供給回路１０は、第１の充電モード及び第２の充電モードを適用することができ、電源供給回路１０が第２の充電モードでバッテリを充電する速度は、電源供給回路１０が第１の充電モードでバッテリを充電する速度より速い。言い換えると、第１の充電モードで作動する電源供給回路と比較して、第２の充電モードで作動する電源供給回路が同一容量のバッテリを満充電するのに必要な時間はより短く。さらに、一部の実施例において、第１の充電モードでは、電源供給回路１０は、第２の充電通路を介してバッテリを充電し、第２の充電モードでは、電源供給回路１０は、第１の充電通路を介してバッテリを充電する。
【００６９】
第１の充電モードは、通常充電モードであってよく、第２の充電モードは、急速充電モードであってもよい。当該通常充電モードは、電源供給回路が相対的に小さい電流値（通常２.５Ａより小さい）を出力することと、または相対的に小さい電力で（通常１５Ｗより小さい）充電対象機器内のバッテリを充電することとを意味し、通常充電モードで１つの比較的大容量バッテリ（例えば、３０００ｍＡｈ容量のバッテリ）を完全に満充電するのに通常数時間がかかる必要があるが、急速充電モードでは、電源供給回路は、相対的に比較的大きな電流（通常２.５Ａより大きく、例えば、４.５Ａ、５Ａ又はさらに高く）を出力することができ、または相対的に比較的大きな電力で（通常１５Ｗ以上）充電対象機器内のバッテリを充電することができる。通常充電モードと比較して、電源供給回路が急速充電モードで同一容量のバッテリを完全に満充電するのに必要な充電時間を明らかに短縮することができ、充電速度がより速い。
【００７０】
上記の説明に指摘されたように、電源供給回路１０の出力電流は、電流値が周期的に変化する第２の波形を有することができる。当該第２の波形は、電源供給回路１０が第２の充電モードで作動する出力電流の電流波形を指してもよい。第１の充電モードでは、電源供給回路１０の出力電圧の電圧値は、定電圧値であってもよく、出力電流の電流波形は、負荷の変化に伴って変化することができる。
【００７１】
さらに、充電対象機器は、電源供給回路１０（または電源供給回路１０における制御ユニット１５）と二方向通信して、第２の充電モードでの電源供給回路１０の出力（即ち、第２の充電モードで電源供給回路１０によって提供される充電電圧及び/又は充電電流を制御）を制御することができる。充電対象機器は、充電インターフェースを含んでもよく、充電対象機器は、充電インターフェースにおけるデータラインを介して電源供給回路１０と通信することができる。充電インターフェースがＵＳＢインターフェースであることを例とし、データラインは、ＵＳＢインターフェース内のＤ+ライン及び/又はＤ-ラインであってもよい。または、充電対象機器は、電源供給回路１０と無線通信することもできる。
【００７２】
本発明の実施例は、電源供給回路１０と充電対象機器との通信内容、及び充電対象機器が第２の充電モードでの電源供給回路１０の出力を制御する方式について具体的に限定しない。例えば、充電対象機器は、電源供給回路１０と通信して、充電対象機器内のバッテリの現在総電圧及び/又は現在総残量をインタラクションし、バッテリの現在総電圧及び/又は現在総残量に基づいて電源供給回路１０の出力電圧または出力電流を調整することができる。以下に具体的な実施例に組み合わせて充電対象機器と電源供給回路１０との通信内容、及び充電対象機器が第２の充電モードでの電源供給回路１０の出力を制御する方式について詳しく説明する。
【００７３】
本発明の実施例の上記説明は、電源供給回路１０と充電対象機器とのマスタースレーブを限定しない。言い換えると、電源供給回路１０と充電対象機器とのうちのいずれか一方は、マスター機器側として二方向通信会話を開始することができ、相応的に、他方はスレーブ機器側として、マスター機器側が開始した通信に対して第１の応答或第１の返信を行う。実行可能な一実施形態として、通信プロセスにおいて、電源供給回路１０側と充電対象機器側とのアースに対するレベルの大きさを比較することにより、マスター機器及びスレーブ機器の身分を確認することができる。
【００７４】
本発明の実施例は、電源供給回路１０と充電対象機器との二方向通信の具体的な実現方式を限定しておらず、すなわち、電源供給回路１０と充電対象機器とのうちのいずれか一方は、マスター機器側として通信会話を開始し、相応的に他方はスレーブ機器側として、マスター機器側が開始した通信会話に対して第１の応答或第１の返信を行い、同時にマスター機器側は、前記スレーブ機器側の第１の応答或第１の返信に対して第２の応答を行うことができれば、マスター及びスレーブ機器の間に１回の充電モードに関するネゴシエーションプロセスが完成されたと判定してもよい。実行可能な一実施形態として、マスター及びスレーブ機器の間に複数回の充電モードのネゴシエーションが完成された後、マスター及びスレーブ機器の間の充電操作を実行することにより、ネゴシエーション後の充電プロセスが安全的に信頼的に実行されることを確保することができる。
【００７５】
マスター機器側が前記スレーブ機器側の通信会話に対する第１の応答または第１の返信に応じて第２の応答を行うことができる一方式として、マスター機器側が前記スレーブ機器側の通信会話に対する第１の応答または第１の返信を受信し、受信した前記スレーブ機器の第１の応答または第１の返信に応じて対応的な第２の応答を行うことができる。例として、マスター機器側が所定の時間内で前記スレーブ機器側の通信会話に対する第１の応答または第１の返信を受信すると、マスター機器側が前記スレーブ機器の第１の応答または第１の返信に応じて対応的な第２の応答を行うことは、具体的に、マスター機器側とスレーブ機器側とが１回の充電モードに関するネゴシエーションを完成し、マスター機器側とスレーブ機器側との間でネゴシエーションの結果に基づいて第１の充電モードまたは第２の充電モードで充電操作を実行する。即ち、電源供給回路１０は、ネゴシエーション結果に基づいて第１の充電モードまたは第２の充電モードで作動して充電対象機器を充電する。
【００７６】
マスター機器側が前記スレーブ機器側の通信会話に対する第１の応答または第１の返信に応じて第２の応答を行うことができる一方式として、さらに、マスター機器側が所定の時間内で前記スレーブ機器側の通信会話に対する第１の応答または第１の返信を受信していなくても、マスター機器側も前記スレーブ機器の第１の応答または第１の返信に対して、対応的な第２の応答を行うことであってもよい。例として、マスター機器側が所定の時間内で前記スレーブ機器側の通信会話に対する第１の応答または第１の返信を受信していなくても、マスター機器側も前記スレーブ機器側の第１の応答または第１の返信に対して、対応的な第２の応答を行うことは、具体的に、マスター機器側とスレーブ機器側とが１回の充電モードに関するネゴシエーションを完成し、マスター機器側とスレーブ機器側との間で第１の充電モードで充電操作を実行し、即ち、電源供給回路１０は、第１の充電モードで作動して充電対象機器を充電することであってもよい。
【００７７】
選択可能に、一部の実施例において、充電対象機器は、マスター機器として通信会話を開始し、電源供給回路１０はスレーブ機器として、マスター機器が開始した通信会話に対して、第１の応答または第１の返信を行った後に、充電対象機器が電源供給回路１０の第１の応答または第１の返信に対して、対応的な第２の応答を行う必要がなく、電源供給回路１０と充電対象機器との間に充電モードに関するネゴシエーションのプロセスが１回完成されたと判定してもよく、電源供給回路１０は、ネゴシエーションの結果に基づいて第１の充電モードまたは第２の充電モードで充電対象機器を充電することができる。
【００７８】
選択可能に、一部の実施例において、充電対象機器が電源供給回路１０と二方向通信して、第２の充電モードでの電源供給回路１０の出力を制御するプロセスは、充電対象機器が電源供給回路１０と二方向通信して、電源供給回路１０と充電対象機器との間の充電モードをネゴシエーションすることを含む。
【００７９】
選択可能に、一部の実施例において、充電対象機器が電源供給回路１０と二方向通信して、電源供給回路１０と充電対象機器との間の充電モードをネゴシエーションすることは、充電対象機器が、電源供給回路１０から送信された、充電対象機器が第２の充電モードをオンにするか否かについて問い合わせための第１の指令を受信することと、充電対象機器が、充電対象機器が第２の充電モードをオンにすることに同意するか否かを指示するための第１の指令の返信指令を電源供給回路１０に送信することと、充電対象機器が第２の充電モードをオンにすることに同意した場合、充電対象機器が第１の充電通路を介してバッテリを充電するように電源供給回路１０を制御することと、を含む。
【００８０】
選択可能に、一部の実施例において、充電対象機器が電源供給回路１０と二方向通信して、第２の充電モードでの電源供給回路１０の出力を制御するプロセスは、充電対象機器が電源供給回路１０と二方向通信して、第２の充電モードでの電源供給回路１０から出力された充電対象機器を充電するための充電電圧を決定することを含む。
【００８１】
選択可能に、一部の実施例において、充電対象機器が電源供給回路１０と二方向通信して、第２の充電モードでの電源供給回路１０から出力された充電対象機器を充電するための充電電圧を決定することは、充電対象機器が、電源供給回路１０から送信された、電源供給回路１０の出力電圧と充電対象機器のバッテリの現在総電圧とがマッチングしているか否かについて問い合わせための第２の指令を受信することと、充電対象機器が、電源供給回路１０の出力電圧とバッテリの現在総電圧とがマッチングしている、高めであるまたは低めであることを指示するための第２の指令の返信指令を電源供給回路１０に送信することと、を含む。これに代えて、第２の指令が、電源供給回路１０の現在出力電圧を第２の充電モードでの電源供給回路１０から出力された充電対象機器を充電するための充電電圧とするのが適切であるか否かについて問い合わせることができ、第２の指令の返信指令が、現在電源供給回路１０の出力電圧がマッチングしている、高めであるまたは低めであることを指示することができる。
【００８２】
電源供給回路１０の現在出力電圧とバッテリの現在総電圧とがマッチングしている、または電源供給回路１０の現在出力電圧が第２の充電モードでの電源供給回路１０から出力された充電対象機器を充電するための充電電圧として適切であることとは、電源供給回路１０の現在出力電圧とバッテリの現在総電圧との差の値が所定の範囲内にある（通常数百ｍｖのレベルである）ことを指してもよい。現在出力電圧は、バッテリの現在総電圧より高めであることは、電源供給回路１０の出力電圧とバッテリの現在総電圧との差の値が所定の範囲より高いことを含む。現在出力電圧がバッテリ現在総電圧より低めであることは、電源供給回路１０の出力電圧とバッテリの現在総電圧との差の値が所定の範囲より低いことを含む。
【００８３】
選択可能に、一部の実施例において、充電対象機器が電源供給回路１０と二方向通信して、第２の充電モードでの電源供給回路１０の出力を制御するプロセスは、充電対象機器が電源供給回路１０と二方向通信して、第２の充電モードでの電源供給回路１０から出力された充電対象機器を充電するための充電電流を決定することを含むことができる。
【００８４】
選択可能に、一部の実施例において、充電対象機器が電源供給回路１０と二方向通信して、第２の充電モードでの電源供給回路１０から出力された、充電対象機器を充電するための充電電流を決定することは、充電対象機器が、前記電源供給回路１０から送信された、充電対象機器の現在サポートする最大充電電流を問い合わせための第３の指令を受信することと、充電対象機器が、充電対象機器の現在サポートする最大充電電流を指示するための第３の指令の返信指令を電源供給回路１０に送信して、電源供給回路１０が充電対象機器の現在サポートする最大充電電流に基づいて、第２の充電モードでの電源供給回路１０から出力された充電対象機器を充電するための充電電流を決定するようにすることと、を含むことができる。
【００８５】
充電対象機器の現在サポートする最大充電電流は、充電対象機器のバッテリの容量、バッテリセル体系などに基づいて取得されてもよく、または所定値であってもよい。
【００８６】
なお、充電対象機器が充電対象機器の現在サポートする最大充電電流に基づいて、第２の充電モードでの電源供給回路１０から出力された充電対象機器を充電するための充電電流を決定する方式は複数ある。例えば、電源供給回路１０は、充電対象機器の現在サポートする最大充電電流を第２の充電モードでの電源供給回路１０から出力された充電対象機器を充電するための充電電流として決定することができ、充電対象機器の現在サポートする最大充電電流及び自身の電流出力能力等の要因を総合的に考慮した上で、第２の充電モードでの電源供給回路１０から出力された充電対象機器を充電するための充電電流を決定することもできる。
【００８７】
選択可能に、一部の実施例において、充電対象機器が電源供給回路１０と二方向通信して、第２の充電モードでの電源供給回路１０の出力を制御するプロセスは、第２の充電モードで充電するプロセスにおいて、充電対象機器が電源供給回路１０と二方向通信して、電源供給回路１０の出力電流を調整することを含むことができる。
【００８８】
具体的には、充電対象機器が電源供給回路１０と二方向通信して、電源供給回路１０の出力電流を調整することは、充電対象機器が、電源供給回路１０から送信された、バッテリの現在総電圧を問い合わせための第４の指令を受信することと、充電対象機器が、バッテリの現在総電圧を指示するための第４の指令の返信指令を電源供給回路１０に送信して、電源供給回路１０がバッテリの現在総電圧に基づいて電源供給回路１０の出力電流を調整するようにすることと、を含むことができる。
【００８９】
選択可能に、一部の実施例において、充電対象機器が電源供給回路１０と二方向通信して、第２の充電モードで電源供給回路１０の出力を制御するプロセスは、充電対象機器が電源供給回路１０と二方向通信して、充電インターフェースが接触不良であるか否かを決定する。
【００９０】
一実施例において、充電対象機器が電源供給回路１０と二方向通信して、充電インターフェースが接触不良であるか否かを決定することは、充電対象機器が、電源供給回路１０から送信された、充電対象機器のバッテリの現在総電圧を問い合わせための第４の指令を受信することと、充電対象機器が、充電対象機器のバッテリの現在電圧を指示するための第４の指令の返信指令を電源供給回路１０に送信して、電源供給回路１０が電源供給回路１０の出力電圧と充電対象機器のバッテリの現在電圧とに基づいて、充電インターフェースが接触不良であるか否かを決定することと、を含むことができる。例えば、電源供給回路１０は、電源供給回路１０の出力電圧と充電対象機器の現在電圧との電圧差が所定の電圧閾値より大きいと決定することは、このとき電圧差で電源供給回路１０によって出力された現在電流値を割ることで取得された抵抗が所定の抵抗閾値より大きいことを示し、即ち、充電インターフェースが接触不良であると決定することができる。
【００９１】
選択可能に、一部の実施例において、充電インターフェース接触不良は、充電対象機器によって決定することもできる。例えば、充電対象機器が、電源供給回路１０の出力電圧を問い合わせための第６の指令を電源供給回路１０に送信し、充電対象機器が、電源供給回路１０によって送信された、電源供給回路１０の出力電圧を指示するための第６の指令の返信指令を受信し、充電対象機器がバッテリの現在電圧と電源供給回路１０の出力電圧とに基づいて、充電インターフェースが接触不良であるか否かを決定する。充電対象機器が、充電インターフェースが接触不良であると決定した後、充電対象機器は、充電インターフェースが接触不良であることを指示するための第５の指令を電源供給回路１０に送信する。電源供給回路１０は、第５の指令を受信した後、第２の充電モードを終了することができる。
【００９２】
電源供給回路１０と充電対象機器の間との通信プロセスについて、以下に図１０を参照してさらに詳しく説明する。なお、図１０の例は、当業者が本発明の実施例を理解することに役立つものに過ぎず、本発明の実施例を例示された具体的数値または具体的な場面に限定するものではない。明らかに、当業者は、示された図１０の例に基づいて各種の等価の修正または変更を行うことができ、これらの修正または変更も本発明の実施例の範囲内に入る。
【００９３】
図１０に示すように、電源供給回路１０と充電対象機器との間の通信プロセス（または急速充電通信プロセスという）は、以下の５つの段階を含むことができる。
【００９４】
段階１
充電対象機器が電源提供装置に接続された後に、充電対象機器がデータケーブルD+、D-を介して電源供給回路１０のタイプを検出することができる。電源供給回路１０がアダプタなどの充電のみに使用される電源供給回路１０であると検出された場合、充電対象機器が受け入れる電流は、所定の電流閾値Ｉ２（例えば、１Ａであってもよい）より大きくてもよい。電源供給回路１０が所定の持続時間（例えば、連続的なＴ１時間であってもよい）内での電源供給回路１０の出力電流がＩ２より以上であることを検出した場合、電源供給回路１０は、充電対象機器が電源供給機器のタイプを認識することを既に完成したと判定してもよい。次に、電源供給回路１０が充電対象機器とのネゴシエーションのプロセスを開始し、充電対象機器に指令１（上記第１の指令に対応する）を送信して、電源供給回路１０が第２の充電モードで充電対象機器を充電することに同意するか否かについて充電対象機器に問い合わせる。
【００９５】
電源供給回路１０が充電対象機器によって送信された指令１の返信指令を受信し、指令１の返信指令が、充電対象機器により電源供給回路１０が第２の充電モードで充電対象機器を充電することに同意しないことを指示する場合、電源供給回路１０は、電源供給回路１０の出力電流を再度検出する。電源供給回路１０の出力電流が所定の持続時間内（例えば、連続的なＴ１時間であってもよい）で依然としてＩ２以上である場合、電源供給回路１０は、充電対象機器に指令１を再度送信して、電源供給回路１０が第２の充電モードで充電対象機器を充電することに同意するか否かについて充電対象機器に問い合わせる。充電対象機器により電源供給回路１０が第２の充電モードで充電対象機器を充電することに同意するまで、または電源供給回路１０の出力電流がＩ２以上である条件を満たさなくなるまで、電源供給回路１０は、段階１の上記ステップを繰り返す。
【００９６】
充電対象機器により電源供給回路１０が第２の充電モードで充電対象機器を充電することに同意した後、通信プロセスは段階２に入る。
【００９７】
段階２
電源供給回路１０の出力電圧は、複数のグレードを含むことができる。電源供給回路１０は、充電対象機器に指令２（上記第２の指令に対応する）を送信して、電源供給回路１０の出力電圧（現在出力電圧）と充電対象機器内のバッテリの現在電圧とがマッチングしているか否かについて問い合わせる。
【００９８】
充電対象機器は、電源供給回路１０に指令２の返信指令を送信して、電源供給回路１０の出力電圧と充電対象機器のバッテリの現在電圧とがマッチングしていること、高めであるまたは低めであることを指示する。指令２の返信指令が、電源供給回路１０の出力電圧が高めであるまたは低めであることを指示する場合、電源供給回路１０は、電源供給回路１０の出力電圧を低くまたは高く調整することができ、充電対象機器に指令２を再度送信して、電源供給回路１０の出力電圧とバッテリの現在電圧とがマッチングしているか否かについて再度問い合わせる。電源供給回路１０の出力電圧と充電対象機器のバッテリの現在電圧とがマッチングしていることを充電対象機器により決定するまで、段階２の上記ステップを繰り返し、そして段階３に入る。電源供給回路１０の出力電圧を調整する方式が複数あってもよい。例えば、電源供給回路１０の出力電圧に低くから高くまで複数の電圧グレードを設定することができ、電圧グレードが高いほど、電源供給回路１０の出力電圧が大きいことを示す。指令２の返信指令が、電源供給回路１０の出力電圧が高めであることを指示する場合、電源供給回路１０の出力電圧の電圧グレードを現在電圧グレードから１グレード低く調整することができ、指令２の返信指令が、電源供給回路１０の出力電圧が低くめであることを指示する場合、電源供給回路１０の出力電圧の電圧グレードを現在電圧グレードから１グレード高く調整することができる。
【００９９】
段階３
電源供給回路１０は、充電対象機器に指令３（上記第３の指令に対応する）を送信して、充電対象機器の現在サポートする最大充電電流を問い合わせる。充電対象機器は、電源供給回路１０に指令３の返信指令を送信して、充電対象機器の現在サポートする最大充電電流を指示し、そして段階４に入る。
【０１００】
段階４
電源供給回路１０は、充電対象機器の現在サポートする最大充電電流に基づいて、第２の充電モードでの電源供給回路１０によって出力された充電対象機器を充電するための充電電流を決定する。その後、定電流充電段階である段階５に入る。
【０１０１】
段階５
定電流充電段階に入った後、電源供給回路１０は一定の時間ごとに充電対象機器に指令４（上記第４の指令に対応する）を送信して、充電対象機器のバッテリの現在電圧を問い合わせることができる。充電対象機器は電源供給回路１０に指令４の返信指令を送信して、バッテリの現在電圧をフィードバックすることができる。電源供給回路１０は、バッテリの現在電圧に基づいて、充電インターフェースの接触が良好であるか否か、及び電源供給回路１０の出力電流を低減する必要があるか否かを判断することができる。電源供給回路１０が、充電インターフェースの接触が不良であると判断した場合、充電対象機器に指令５（上記第５の指令に対応する）を送信し、電源供給回路１０は、第２の充電モードを終了し、リセットして再度に段階１に入ることができる。
【０１０２】
選択可能に、一部の実施例において、段階２において、充電対象機器により電源供給回路１０が第２の充電モードで充電対象機器を充電することに同意した時点から、電源供給回路１０が電源供給回路１０の出力電圧を適切な充電電圧に調整した時点までかかる時間を一定の範囲に制御することができる。当該時間が所定の範囲を超えた場合、電源供給回路１０または充電対象機器は、通信プロセスが異常であると判定し、リセットして再度に段階１に入ることができる。
【０１０３】
選択可能に、一部の実施例において、段階２において、電源供給回路１０の出力電圧が充電対象機器バッテリの現在電圧よりΔＶ（ΔＶを２００〜５００ｍＶとしてもよい）高い場合、充電対象機器は電源供給回路１０に指令２の返信指令を送信して、電源供給回路１０の出力電圧と充電対象機器のバッテリの電圧とがマッチングしていることを指示することができる。
【０１０４】
選択可能に、一部の実施例において、段階４において、電源供給回路１０の出力電流の調整速度が一定の範囲に制御することができる。このようにすることで、調整速度が速すぎることによる充電プロセスの異常の発生を避けることができる。
【０１０５】
選択可能に、一部の実施例において、段階５において、電源供給回路１０の出力電流の変動幅は、５％以内に制御することができる。
【０１０６】
選択可能に、一部の実施例において、段階５において、電源供給回路１０は充電回路の抵抗をリアルタイムでモニターリングすることができる。具体的には、電源供給回路１０は、電源供給回路１０の出力電圧と出力電流と、充電対象機器によってフィードバックされたバッテリの現在電圧とに基づいて、充電通路の抵抗をモニターリングすることができる。「充電通路の抵抗」>「充電対象機器の通路抵抗+充電ケーブルの抵抗」の場合、充電インターフェースが接触不良であると判定することができ、電源供給回路１０は第２の充電モードで充電対象機器を充電することを停止する。
【０１０７】
選択可能に、一部の実施例において、電源供給回路１０が、第２の充電モードで充電対象機器を充電することを開始した後、電源供給回路１０と充電対象機器との通信時間間隔は、一定の範囲に制御することができるため、通信間隔が短すぎることによる通信プロセスの異常の発生を避けることができる。
【０１０８】
選択可能に、一部の実施例において、充電プロセスの停止（または電源供給回路１０の第２の充電モードで充電対象機器を充電するプロセスの停止）は、回復可能な停止と回復不可能な停止とに分けることができる。
【０１０９】
例えば、充電対象機器のバッテリが満充電されたことまたは充電インターフェースが接触不良であることが検出された場合、充電プロセスが停止され、充電通信プロセスがリセットされ、充電プロセスが再度に段階１に入る。その後、充電対象機器により電源供給回路１０が第２の充電モードで充電対象機器を充電することに同意しない場合、通信プロセスが段階２に入らない。この場合の充電プロセスの停止は、回復不可能な停止と見なされてもよい。
【０１１０】
また、例えば、電源供給回路１０と充電対象機器との間に通信異常が現れた場合、充電プロセスが停止され、充電通信プロセスがリセットされ、充電プロセスが再度に段階１に入る。段階１の要求が満たされた後、充電プロセスを回復させるために、充電対象機器は、電源供給回路１０が第２の充電モードで充電対象機器を充電することに同意する。この場合の充電プロセスの停止は、回復可能な停止と見なされてもよい。
【０１１１】
また、例えば、充電対象機器が、バッテリに異常が現れたことを検出した場合、充電プロセスが停止され、リセットされて再度に段階１を入る。その後、充電対象機器により電源供給回路１０が第２の充電モードで充電対象機器を充電することに同意しない。バッテリが正常に回復し、且つ段階１の要求を満たした後、充電対象機器は、電源供給回路１０が第２の充電モードで充電対象機器を充電することに同意する。この場合の急速充電プロセスの停止は、回復可能な停止と見なされてもよい。
【０１１２】
上記の図１０に示す通信ステップまたは操作は、例示するものに過ぎない。例えば、段階１において、充電対象機器が電源供給回路１０に接続された後、充電対象機器と電源供給回路１０とのハンドシェーク通信は、充電対象機器によって開始されてもよい。即ち、充電対象機器は指令１を送信して、第２の充電モードをオンにするか否かについて電源供給回路１０に問い合わせる。充電対象機器が、電源供給回路１０の返信指令を受信した場合、電源供給回路１０は、第２の充電モードで充電対象機器のバッテリを充電することを開始し、ここで、前記電源供給回路１０の返信指令が、電源供給回路１０が、電源供給回路１０が第２の充電モードで充電対象機器を充電することに同意することを指示するためのものである。
【０１１３】
また、例えば、段階５の後に、定電圧充電段階をさらに含むことができる。具体的には、段階５において、充電対象機器は、電源供給回路１０にバッテリの現在電圧をフィードバックすることができる。バッテリの現在電圧が定電圧充電の電圧閾値に達した場合、充電段階は定電流充電段階から定電圧充電段階に入る。定電圧充電段階において、充電電流が次第に減少していく。電流がある閾値まで低下した場合、充電対象機器のバッテリが既に満充電されたことを示し、充電プロセスの全体が停止する。
【０１１４】
本発明の実施例は、電源供給機器をさらに提供し、図１１に示すように、当該電源供給機器１１００は、上記のいずれかの実施例により提供される電源供給回路１０を含むことができる。当該電源供給機器１０は、例えばアダプタまたは移動電源（ｐｏｗｅｒ ｂａｎｋ）など充電のみに使用される機器であってもよく、電源及びデータサービスを提供できるパソコンなどの他の機器であってもよい。
【０１１５】
以上に、図１〜図１１を参照して本発明の実施例により提供される電源供給回路及び電源供給機器を詳しく説明している。本発明の実施例により提供される電源供給回路の制御方法について、以下に図１２を参照して詳しく説明する。当該電源供給回路は、上記のいずれかの実施例に記載の電源供給回路１０であってもよく、電源供給回路に関連する説明は、上記の記載を参照することができ、ここでは重複する説明を適当に省略する。
【０１１６】
当該電源供給回路は、１次整流ユニットと、変調ユニットと、変圧器と、２次整流フィルタリングユニットと、制御ユニットと、を含むことができる。
【０１１７】
１次整流ユニットは、入力された交流電流を整流して、電圧値が周期的に変化する第１の電圧を出力することができる。
【０１１８】
変調ユニットは、第１の電圧を変調して第２の電圧を生成することができる。
【０１１９】
変圧器は、第２の電圧に基づいて第３の電圧を生成することができる。
【０１２０】
２次整流フィルタリングユニットは、第３の電圧を整流及びフィルタリングして第１の電流を生成することができる。図１２の方法は、ステップ１２１０を含むことができる。ステップ１２１０において、制御ユニットは、第１の電流を調整して電源供給回路の出力電流を生成することができる。出力電流は、電流値が周期的に変化する第２の波形を有し、第２の波形の各周期は、電流値が０である期間を含む。
【０１２１】
選択可能に、一部の実施例において、第１の電流は、電流値が周期的に変化する第１の波形を有し、電源供給回路は、電源供給回路の充電ラインのオン・オフを制御するための第１のスイッチングユニットをさらに含むことができる。
【０１２２】
ステップ１２１０は、第１の波形の各周期における一部の期間で第１のスイッチングユニットをオープン状態にあるように制御するステップを含む。
【０１２３】
選択可能に、一部の実施例において、第１の電流は、電流値が周期的に変化する第１の波形を有し、電源供給回路は、電源供給回路の充電回路の間に並列接続される負荷回路と、負荷回路の導通切断を制御するための第２のスイッチングユニットと、を含むことができる。
【０１２４】
ステップ１２１０は、第１の波形の各周期における一部の期間で第２のスイッチングユニットをクローズ状態にあるように制御するステップを含んでもよく、ここで、第２のスイッチングユニットがクローズ状態にある場合、負荷回路は充電回路で伝送される電気エネルギーを消費することができる。
【０１２５】
選択可能に、一部の実施例において、上記一部の期間が第１の波形の谷が位置する期間であってもよい。
【０１２６】
選択可能に、一部の実施例において、上記２次整流フィルタリングユニットは、２次整流フィルタリングユニットにおけるフィルタリング回路のオン・オフを制御するための第３のスイッチングユニットを含むことができる。
【０１２７】
ステップ１２１０は、第１の波形の各周期における目標期間で第３のスイッチングユニットをオープン状態にあるように制御するステップを含んでもよく、ここで、目標期間が第１の波形の谷が位置する期間である。
【０１２８】
選択可能に、一部の実施例において、上記フィルタリング回路は、フィルタリングコンデンサを含むことができる。第３のスイッチングユニットは、ＭＯＳトランジスタを含むことができる。フィルタリングコンデンサは、正極が電源供給回路の充電回路に接続され、負極がＭＯＳトランジスタのソースに接続されてもよい。ＭＯＳトランジスタは、ドレインが接地され、ゲートが制御ユニットに接続されてもよい。
【０１２９】
選択可能に、一部の実施例において、図１２の方法は、ステップ１２２０をさらに含むことができる。ステップ１２２０において、制御ユニットは、充電対象機器と通信して、電源供給回路の出力電力を調整して、電源供給回路の出力電圧及び/又は出力電流を充電対象機器内のバッテリが現在位置する充電段階にマッチングさせる。
【０１３０】
選択可能に、一部の実施例において、電源供給回路がバッテリを充電する段階は、トリクル充電段階と、定電圧充電段階と、定電流充電段階とのうちの少なくとも１つを含む。
【０１３１】
選択可能に、一部の実施例において、ステップ１２２０は、バッテリの定電圧充電段階では、充電対象機器と通信して、電源供給回路の出力電力を調整して、電源供給回路の出力電圧を定電圧充電段階に対応する充電電圧にマッチングさせるステップを含むことができる。
【０１３２】
選択可能に、一部の実施例において、ステップ１２２０は、バッテリの定電流充電段階では、充電対象機器と通信して、電源供給回路の出力電力を調整して、電源供給回路の出力電流を定電流充電段階に対応する充電電流にマッチングさせるステップを含むことができる。
【０１３３】
上記の実施例において、全体的にまたは部分的にソフトウェア、ハードウェア、ファームウェアまたは他の任意の組み合わせによって実現されてもよい。ソフトウェアで実現されるとき、全体的にまたは部分的に、１つまたは複数のコンピュータ命令を含むコンピュータプログラム製品の形で実施されてもよい。前記コンピュータプログラム命令がコンピュータにロードされ実行されると、本発明の実施例に記載のプロセスまたは機能は、全体的にまたは部分的に生成される。前記コンピュータは、汎用コンピュータ、専用コンピュータ、コンピュータネットワーク、または他のプログラマブル可能な装置であってもよい。前記コンピュータ命令は、コンピュータ読み取り可能な記憶媒体に格納することができ、または１つのコンピュータ読み取り可能な記憶媒体から他のコンピュータ読み取り可能な記憶媒体に転送することもできる。例えば、前記コンピュータ命令は、１つのウェブサイト、コンピュータ、サーバ、またはデータセンタから有線（例えば、同軸ケーブル、光ファイバ、デジタル加入者線（ｄｉｇｉｔａＬ ｓｕｂｓｃｒｉｂｅｒ Ｌｉｎｅ、ＤＳＬ））または無線（例えば、赤外線、無線、マイクロ波など）を介して他のウェブサイト、コンピュータ、サーバ、またはデータセンタに転送することができる。前記コンピュータ読み取り可能な記憶媒体は、コンピュータによってアクセスすることができる任意の利用可能な媒体、または１つまたは複数の利用可能な媒体を含むサーバ、データセンタなどのデータ記憶装置であってもよい。前記利用可能な媒体は、磁気媒体（例えば、フロッピーディスク、ハードディスク、磁気テープ）、光学媒体（デジタルビデオディスク（ｄｉｇｉｔａｌ ｖｉｄｅｏ ｄｉｓｃ、ＤＶＤ））、または半導体媒体（例えば、ソリッドステートディスク（ｓｏｌｉｄ ｓｔａｔｅ ｄｉｓｋ、ＳＳＤ））などであってもよい。
【０１３４】
当業者は、以下のことを意識することができる。本発明に開示されている実施例に組み合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの形態によって実行されるのかは、技術案の特定応用及び設計拘束条件によるものである。当業者は、各特定の応用に対して、説明された機能を異なる方法で実現することができ、このような実現は、本発明の範囲を超えたと考えるべきでない。
【０１３５】
本発明によって提供されるいくつかの実施例において、開示されているシステムと、装置と、方法とは、他の方式によって実現することができる。例えば、上記装置の実施例は、概略的なものに過ぎない。例えば、前記ユニットの区分は、ロジック機能の区分に過ぎない。実際に実現する時に、他の区分方式を有することができる。例えば、複数のユニットまたはコンポーネントは、結合することができる、または他のシステムに集積することができ、または一部の特徴を無視することができ、または実行しないことができる。一方、示されたまたは論議された相互間の結合または直接結合または通信接続は、一部のインターフェースを介して、装置またはユニットの間接結合または通信接続であっても良く、電気的、機械的または他の形式であってもよい。
【０１３６】
分離部品として説明された前記ユニットは、物理的に分離していてもよく、物理的に分離していなくてもよい。ユニットとして示された部品は、物理的なユニットであってもよく、物理的なユニットでなくてもよい。即ち、一つの場所にあってもよく、または複数のネットワークユニットに分布されてもよい。必要に応じて、そのうちの一部または全部のユニットを選択して本実施例の技術案の目的を実現することができる。
【０１３７】
また、本発明の各実施例における各機能ユニットは、一つの処理ユニットに集められてもよいが、各ユニットが独立した物理的存在であっても良く、二つ以上のユニットが一つのユニットに集められてもよい。
【０１３８】
以上の記載は、本発明の実施形態に過ぎず、本発明の保護範囲はこれに限定されない。当分野に詳しい全ての当業者が本発明に開示された技術的範囲内で容易に想到する変化または取り替えは、本発明の保護範囲に含まれるべきである。従って、本発明の保護範囲はその特許請求の範囲に準ずるべきである。
【図１】
0006781843.tif 000002
【図２】
0006781843.tif 000003
【図３】
0006781843.tif 000004
【図４】
0006781843.tif 000005
【図５】
0006781843.tif 000006
【図６】
0006781843.tif 000007
【図７】
0006781843.tif 000008
【図８】
0006781843.tif 000009
【図９】
0006781843.tif 000010
【図１０】
0006781843.tif 000011
【図１１】
0006781843.tif 000012
【図１２】
0006781843.tif 000013